(57)【要約】【課題】  猫の学習能力を利用して猫を追い払うことができ、且つ家庭用に適した簡単な構成の猫撃退装置を提供することを目的とする。【解決手段】  猫の侵入又は接近を阻止すべき領域内にあえて猫を呼び寄せるための誘き寄せ手段１と、該誘き寄せ手段１によって領域内に侵入してきた猫の重さを検知する検知手段２と、該検知手段２の信号を受けて作動する威嚇手段３と、を備えていることを特徴とする。【選択図】      図３
2007082530.tif 000002
【特許請求の範囲】
【請求項１】
猫の侵入又は接近を阻止すべき領域内にあえて猫を呼び寄せるための誘き寄せ手段（１）と、該誘き寄せ手段（１）によって領域内に侵入してきた猫の重さを検知する検知手段（２）と、該検知手段（２）の信号を受けて作動する威嚇手段（３）と、を備えていることを特徴とする猫撃退装置。
【請求項２】
前記威嚇手段（３）は、検知手段（２）からの信号を受けて回転する回転羽（３２）と、該回転羽（３２）の回転と略同時に発生する威嚇音と、猫が忌避する臭いを発生させる忌避剤発生装置（３４）と、から構成され、前記忌避剤発生装置（３４）から発生される忌避剤が回転羽（３２）によって周囲に拡散されることを特徴とする請求項１記載の猫撃退装置。
【請求項３】
前記検知手段（２）は、蓋体（２２）と、該蓋体（２２）下面に設置されるスイッチ基部（２４ａ）と、該スイッチ基部（２４ａ）の下方に離間して設置されるスイッチ受部（２４ｂ）と、から構成され、猫が前記蓋体（２２）に乗ると、前記蓋体（２２）が下方に変位し、前記スイッチ基部（２４ａ）と前記スイッチ受部（２４ｂ）とが接触し検知信号を発することを特徴とする請求項１又は２記載の猫撃退装置。
【請求項４】
前記蓋体（２２）と前記忌避剤発生装置（３４）とが紐（７）を介して接続されており、前記蓋体（２２）の変位に連動して前記忌避剤発生装置（３４）が傾斜することで忌避剤が吐出されることを特徴とする請求項３記載の猫撃退装置。
【発明の詳細な説明】
【技術分野】
【０００１】
本発明は、猫が侵入したり、近づいたりして害をもたらすと困る場所に設置する猫撃退装置に関する。
【背景技術】
【０００２】
近年、野良猫や放し飼いにされた猫等が、家屋の軒先や庭に侵入して花等の栽培植物を荒らしたり、糞や尿をしたりする等の被害が多発している。特に猫の尿は悪臭が酷く、一度用を足されるとその臭いはなかなか取れず、夏場等は衛生上の問題が深刻となっていた。そこで、従来、猫等が好む場所、例えば砂場等に侵入してくる猫等をセンサーによって検知し、猫等が驚くような光や音、超音波を発生したり、水を噴射したりする威嚇装置を作動させて、猫等の動物を撃退する装置が提案されている（特許文献１）。
【特許文献１】特開平７−２５５３５１号公報
【発明の開示】
【発明が解決しようとする課題】
【０００３】
しかしながら、前記装置は多数の威嚇装置を備えているため複雑で大掛かりな装置となり、砂場等の公共の場には用いられ易いが、一般の家庭となると価格の問題等からなかなか設置しようということにはならない。また、センサーにより猫等の侵入を検知するため、猫等の動物以外のもの、例えば人間等が接近した場合にも威嚇装置が作動してしまう問題があり、やはり家庭用には不向きであった。また、従来の装置のほとんどは、猫等が所定の領域内に侵入してくるのを待っているものであり、こちら側から猫を呼び寄せて威嚇するといった装置はなかった。
【０００４】
そこで本発明は、上記事情に鑑みてなされたものであり、猫の学習能力を利用して猫を追い払うことができ、且つ家庭用に適した簡単な構成の猫撃退装置を提供することを目的とする。
【課題を解決するための手段】
【０００５】
上記目的を達成するために、本発明のうち請求項１の発明は、猫の侵入又は接近を阻止すべき領域内にあえて猫を呼び寄せるための誘き寄せ手段と、該誘き寄せ手段によって領域内に侵入してきた猫の重さを検知する検知手段と、該検知手段の信号を受けて作動する威嚇手段と、を備えていることを特徴とする。
【０００６】
ここで、誘き寄せ手段とは、猫が好む物や状況を作って所定の領域内に猫を侵入させる方法であれば全てを含める概念であり、例えば砂地部分を作ったり、発泡スチロールを敷いたり、細長い草等の猫が好む植物を植える等の様々な方法を挙げることができる。また検知手段とは、所定の領域内に侵入した猫の重さを検知することが可能であるものを全て含める概念である。威嚇手段は、検知手段が重さを検知している間のみ作動させてもよいし、タイマー等で一定の時間後に自動的に停止させる構成にしてもよい。
【０００７】
また、威嚇手段の具体的な構成については、請求項２の発明のように、検知手段からの信号を受けて回転する回転羽と、該回転羽の回転と略同時に発生する威嚇音と、猫が忌避する臭いを発生させる忌避剤発生装置と、から構成され、前記忌避剤発生装置から発生される忌避剤が回転羽によって周囲に拡散されることを特徴とする。猫は目前で突然動くものに驚く習性があるので、検知手段が猫の重さを検知するとき、その目前に回転羽が位置するような構成とすれば、特に効果的である。また、忌避剤としては、猫が嫌がる柑橘系の臭いや湿布薬の臭い等を発生させることが可能であれば、粉末状や液体状等、特に限定するものではない。
【０００８】
さらに、検知手段の具体的な構成については、重量センサーや振動センサー、圧電センサー等が考えられるが、請求項３の発明のように、蓋体と、該蓋体下面に設置されるスイッチ基部と、該スイッチ基部の下方に離間して設置されるスイッチ受部と、から構成され、猫が前記蓋体に乗ると、前記蓋体が下方に変位し、前記スイッチ基部と前記スイッチ受部とが接触し検知信号を発する構成とすれば、簡易且つ安価に実現することができる。
【０００９】
また、忌避剤発生装置の作動方法としては、モータ等により電動で作動するものであってもよいが、請求項４の発明のように、前記蓋体と前記忌避剤発生装置とが紐を介して接続されており、前記蓋体の変位に連動して前記忌避剤発生装置が傾斜することで忌避剤が吐出される構成とすれば、簡易且つ安価に実現することができる。
【発明の効果】
【００１０】
本発明のうち請求項１の発明によれば、家屋の軒先や庭等の猫に侵入及び接近されたくない場所に設置し、あえてその場所に猫を誘き寄せて威嚇することにより、猫はその場所に恐怖を抱き、その場所に近づいてはいけないことを学習するため、二度とその場所には近づこうとしなくなるので、以後、猫の侵入を完全に防止することができる。また、威嚇手段は猫の重さを検知して作動するため、鳥等の猫よりも軽い小動物には反応せず、猫のみを効率よく撃退することができると共に、装置の構成を単純にすることが可能となり、家庭で使用するのに適したものとなる。
【００１１】
本発明のうち請求項２の発明によれば、回転羽と威嚇音と忌避剤により、猫に危害を加えることなく撃退することができると共に、忌避剤が回転羽によって周囲に拡散されるので、より一層効果的に猫を威嚇し撃退することができる。
【００１２】
本発明のうち請求項３の発明によれば、センサー等を用いることなく、極めて簡易な構成で猫の侵入を検知できる。
【００１３】
本発明のうち請求項４の発明によれば、モータ等を用いることなく、極めて簡易な構成で忌避剤発生装置を作動させることができる。
【発明を実施するための最良の形態】
【００１４】
以下、本発明の実施形態を図面に基づいて説明する。
【００１５】
本発明の猫撃退装置は、図１に示すように、猫を誘き寄せるための発泡スチロール板１を上面に載置し、且つその発泡スチロール板１上に乗った猫の重さを検知する検知部２と、該検知部２の信号を受けて作動する威嚇部３とから構成されており、各部２，３を安定に設置するための基板４上にそれぞれ固定してある。威嚇部３については、設置する際に高さを設ける必要があるため、支柱５ａ，５ｂを介して基板４上にそれぞれ固定してある。また、この装置は屋外に設置することから、各部２，３、基板４及び支柱５ａ，５ｂを雨風や雪に耐えうるように、防水性及び耐腐食性に優れた材質から形成してある。
【００１６】
検知部２は、図２（ａ）（ｂ）に示すように、上面が開口する箱体２１と、該箱体２１の開口部を塞ぐ蓋体２２と、該蓋体２２を箱体２１の開口部よりも上方に浮かすように支持するバネ２３と、威嚇部３を作動させるスイッチ２４及び電源２５とから構成されている。蓋体２２は断面下向きコ字状をなしており、上面には発泡スチロール板１が固着されている。バネ２３は蓋体２２の四隅近傍を支持できるように、箱体２１の内側下面に固定した支持台２６上に固定されている。スイッチ２４は、蓋体２２の内側上面の中心部分にボルト（図示省略）により固定されたスイッチ基部２４ａと、箱体２１のスイッチ基部２４ａに対応する箇所に固着されたスイッチ受部２４ｂとからなり、スイッチ基部２４ａが電源２５を介して後述する威嚇部３のモータ３１と配線６によって接続されている。電源２５は、交流電源にしてもよいが、装置を屋外に設置することを考慮し乾電池にしてあり、電源２５は蓋体２２の内側上面の空いた場所にボルト（図示省略）で固定してある。
【００１７】
威嚇部３は、検知部２のスイッチ２４がＯＮになった信号を受けて駆動するモータ３１によって回転する回転羽３２と、回転羽３２の回転と略同時に発生する威嚇音と、前記検知部２の蓋体２２が下がることによって作動する忌避剤発生装置３４とから構成されている。
【００１８】
回転羽３２は支柱５ａの上部にモータ３１を介して取り付けられるものであり、発泡スチロール板１上に乗った猫の目前に位置する。回転羽３２の形状や材質については、特に限定しないが、本実施形態のように市販品のペットボトルから形成することが望ましい。回転羽３２の形成方法としては、まずペットボトルの底部を切り、次に底部の切り口から側面にはさみ等で切り込みを複数入れ、最後にその切り込みの根本部分を基点に側面を外側に折り曲げることで完成する。また、ペットボトルの口部にはキャップ３２ａを取り付けたままの状態にしておき、そのキャップ３２ａの中心部にモータ３１に取り付けられた回転軸３１ａが固定されている。このように構成すれば、回転羽３２を一から新しく作成する必要がなく、低コストになると共に、回転羽３２が破損した場合でも簡便に新しいものと交換できる。また、新しい回転羽３２と交換する際には、ペットボトルの本体をキャップ３２ａから取り外すだけでよく、交換作業も簡便に行うことができる。
【００１９】
威嚇音とは、モータ３１の駆動時に発生するモータ音と、モータ３１内の歯車（図示省略）同士の擦れ合う音（歯車音）と、回転羽３２の回転時に発生する回転音である。これらは、回転羽３２を回転させる際に出る副産物の音であるため、新たに威嚇音を発生させるような装置を設ける必要がなく、装置の簡略化と低コスト化を図ることができる。また、これらの音は回転羽が回転している間のみ発生するため、威嚇音のみを発生させるような機構が不要となる。
【００２０】
忌避剤発生装置３４は、前記回転羽３２よりも上方に配設されるように支柱５ｂの上部に取り付けられるものであり、液体の忌避剤を収容する有底筒状の容器３４ａと、該容器３４ａを支持する支持板３４ｂとから構成されている。容器３４ａには開口部を塞ぐ蓋３４ｃが備えてあり、忌避剤を補充することが可能となっており、容器３４ａの底部には容器３４ａ内の忌避剤を外部に出すストロー状の吐出部３４ｄが備えてある。支持板３４ｂは、側面視した際にＪ字状をなしており、上端部を支柱５ｂに回動可能となるようにビス３４ｅ止めし、下部の曲面をなした部分に前記容器３４ａを横向きに支持固定させるものである。容器３４ａを支持する場合には、忌避剤が液体であることを考慮し、容器３４ａの吐出部３４ｄが上側に配置されるようにする。支持板３４ｂの下端は、支柱５ｂの下部に取り付けられた滑車８を介して検知部２の蓋体２２の内側側面と紐７によって接続されており、この紐７は支持板３４ｂ、滑車８及び蓋体２２の各相互間に張った状態となる。忌避剤としては、柑橘系の臭いがする液体を使用している。
【００２１】
また、図３に示すのは本発明の第２実施形態である。以下、第1実施形態と異なる部分のみ説明する。
【００２２】
第２実施形態では、検知部２において、蓋体２２を箱体２１の開口部よりも上方に浮かすように支持するため、スポンジ体５１を用いる。スポンジ体５１は弾性的に変形し、第１実施形態におけるバネ２３と同様の働きをする。また、回転羽３２が支柱５ｂに取り付けられる。さらに、支柱５ａの上部には、てこ棒４１が支点ビス４１ａにより回動可能に設置される。そして容器３４ａの端部（蓋３４ｃ側）が、てこ棒４１の一端と紐７ｂによって接続され、てこ棒４１の他端が、支柱５ａの下部に取り付けられた滑車８を介して検知部２の蓋体２２の内側側面と紐７ａによって接続され、この紐７ａ及び７ｂは、容器３４ａ、てこ棒４１、滑車８及び蓋体２２の各相互間に張った状態となる。なお、支点ビス４１ａは、てこ棒４１の中心より紐７ａ側に位置する。
【００２３】
次に、上記猫撃退装置の設置方法と動作について説明する。
【００２４】
本発明の猫撃退装置は、猫が侵入又は接近して欲しくない屋外の領域内に設置するものであり、図４に示すように、警戒心を与えることなく発泡スチロール板１上に猫を誘き寄せるためにも、装置の下部を領域内の地面中に埋めて使用する。装置の下部の埋める目安としては、発泡スチロール板１が地面上に見えさえしていれば特に限定はしないが、威嚇部３に信号がスムーズに伝わるようにするためにも、検知部２の蓋体２２の上部が地面上に出る程度にすることが望ましい。
【００２５】
上記のように設置された猫撃退装置の発泡スチロール板１上に誘き寄せられた猫が乗ると、猫の重さで検知部２の蓋体２２が下方に沈み、離間して設置されていたスイッチ基部２４ａがスイッチ受部２４ｂに接触してスイッチ２４がＯＮ状態となる。その信号を受けて電源２５が入り、威嚇部３のモータ３１が駆動して回転羽３２が回転すると同時に、威嚇音であるモータ音、歯車音及び回転羽３２の回転音が発生する。また、蓋体２２が下方に沈むことで、蓋体２２に固定された紐７ａが沈んだ変位分引っ張られることとなり、その引っ張られた分だけ威嚇部３のてこ棒４１が支点ビス４１ａを軸に反時計回りに回動し、紐７ｂを引っ張り上げ、忌避剤発生装置３４がビス３４ｅを軸に時計回りに回動し、下向きになった吐出部３４ｄから容器３４ａ内の忌避剤が下方に流れ落ちる。この際、第２実施形態の場合には、支点ビス４１ａがてこ棒４１の中心より紐７ａ側に位置するため、紐７ａの変位量が小さくても紐７ｂの変位量が大きくなり、忌避剤発生装置３４を確実に作動させることができる。この流れ落ちた忌避剤は、下方にある回転羽３２の真上に落ちるため、回転羽３２に当たって周囲に拡散される。この一連の動作は、猫が発泡スチロール板１上に乗っている間ずっと続くものであり、猫が逃げて発泡スチロール板１から下りることで、蓋体２２がスポンジ体５１の復元力によって元の位置に上昇し、スイッチ基部２４ａがスイッチ受部２４ｂから離れてスイッチ２４がＯＦＦ状態となり、威嚇部３の動作が停止する。
【００２６】
上記のように本発明の猫撃退装置の最も大きな特徴は、所定の領域内に猫をあえて誘き寄せて威嚇し、この場所には侵入又は接近してはならないことを猫に学習させるように仕向ける点にある。猫が自ら好んで猫撃退装置の発泡スチロール板１上に乗ると、回転羽３２が目前で突然動き出し、さらに威嚇音や忌避剤の臭いが発生するため猫は驚いて恐怖を抱くと共に、そのことを学習し、この領域内には二度と侵入又は接近しなくなるのである。また、猫の侵入を検知する方法にセンサーを使用していないため、所定の領域内に侵入したもの全てに対して威嚇部３が作動する訳ではなく、さらに猫の重さ程度で作動するため、猫よりも小さな鳥等の小動物には反応しないので、猫に的を絞って効率よく撃退することができる。また、スイッチ２４のＯＮ／ＯＦＦで威嚇部３の作動又は停止を行うことができるので、タイマー等を付ける必要がなく、装置が単純になり且つ低コストとなる。
【００２７】
ここで、本発明の猫撃退装置は上記実施形態に限定されるものではなく、例えば威嚇部を、タイマー等を使用して一定時間作動するように構成してもよいし、また、忌避剤発生装置を回転羽と同様にモータ等によって作動させてもよい。また、威嚇音を発生させる装置を別個設けてもよい。
【図面の簡単な説明】
【００２８】
【図１】本発明の猫撃退装置の全体を示す正面図。
【図２】検知部の検知方法を説明する断面図。
【図３】本発明の猫撃退装置の第２実施形態を示す正面図。
【図４】猫撃退装置の使用例を示す正面図。
【符号の説明】
【００２９】
１  発泡スチロール板（誘き寄せ手段）
２  検知部（検知手段）
３  威嚇部（威嚇手段）
７  紐
２２  蓋体
２４ａ  スイッチ基部
２４ｂ  スイッチ受部
３２  回転羽
３４  忌避剤発生装置
【図１】
2007082530.tif 000003
【図２】
2007082530.tif 000004
【図３】
2007082530.tif 000005
【図４】
2007082530.tif 000006